(57)【要約】      （修正有）【課題】ディスク挿入口を左向き、右向きあるいは上部向きにすることができて、ディスクを左側、右側あるいは上側から挿入したり取り出したりすることができ、使用者の利き手に応じてディスクを挿入したり取り出したりすることができ、電気的制御を必要とせずに構造を簡単化することができ、使用者がディスク挿入口を気にする必要がないようにする。【解決手段】薄型テレビジョン受像機１の裏面側のＤＶＤローダー３に回転軸４が設けられ、回転軸は回転支持体５に回転自由に支持され、回転支持体は薄型テレビジョン受像機の裏面に設けられた上下一対のレール２に対して移動自由に配置され、回転軸には外周部に突起部４ａが設けられ、突起部が回転支持体の内周に形成された溝部５ａに嵌め入れられて回転軸が回転支持体に回転自由に支持され、回転支持体の端部の断面略逆Ｔ字形の突出部５ｂがレールに形成された断面略逆Ｔ字形のガイド溝２ａに嵌め込まれている。【選択図】図１
2008211424.tif 000002
【特許請求の範囲】
【請求項１】
テレビジョン受像機の裏面側にＤＶＤローダーを配置したＤＶＤ内蔵型テレビジョン受像機において、前記テレビジョン受像機は薄型テレビジョン受像機からなり、前記ＤＶＤローダーには回転軸が設けられ、前記回転軸は回転支持体に回転自由に支持され、前記回転支持体は前記薄型テレビジョン受像機の裏面に設けられた上下一対のレールに対して移動自由に配置されており、前記回転軸にはその外周部に突起部が設けられ、前記突起部が前記回転支持体の内周に形成された溝部に嵌め入れられて前記回転軸が前記回転支持体に対して回転自由に支持され、前記回転支持体の端部に突出形成された断面略逆Ｔ字形の突出部が前記上下一対のレールに形成された断面略逆Ｔ字形のガイド溝に嵌め込まれて前記ＤＶＤローダーが前記回転軸と前記回転支持体を介して前記上下一対のレールに対して左右に移動可能とされていると共に前記ＤＶＤローダーが前記回転軸を介して回転自由に配置されて、前記ＤＶＤローダーのディスク挿入口が左向き、右向き或いは上部向きに位置することを可能にしたことを特徴とするＤＶＤ内蔵型テレビジョン受像機。
【請求項２】
テレビジョン受像機の裏面側にＤＶＤローダーを配置したＤＶＤ内蔵型テレビジョン受像機において、前記ＤＶＤローダーは、移動手段により前記テレビジョン受像機の裏面側で左右に移動可能とされると共に回転手段により回転自由に配置されて、前記ＤＶＤローダーのディスク挿入口が左向き、右向きあるいは上部向きに位置することを可能にしたことを特徴とするＤＶＤ内蔵型テレビジョン受像機。
【請求項３】
前記移動手段は、前記ＤＶＤローダーに設けられた回転軸を回転自由に支持する回転支持体の端部に突出形成された断面略逆Ｔ字形の突出部と、この突出部が嵌め入れられ、前記テレビジョン受像機の裏面側に設けられた上下一対のレールに形成された断面略逆Ｔ字形のガイド溝とから構成されている請求項２に記載のＤＶＤ内蔵型テレビジョン受像機。
【請求項４】
前記回転手段は、前記ＤＶＤローダーに設けられて外周に突起部を有する回転軸と、前記テレビジョン受像機の裏面側に配置された上下一対のレールに対して移動可能に設けられ、内周に前記突起部が嵌め入れられた溝部を有する回転支持体とから構成されている請求項２に記載のＤＶＤ内蔵型テレビジョン受像機。
【発明の詳細な説明】
【技術分野】
【０００１】
本発明は、テレビジョン受像機の裏面側にＤＶＤローダーを配置したＤＶＤ内蔵型テレビジョン受像機に関するものである。
【背景技術】
【０００２】
従来のＤＶＤ内蔵型テレビジョン受像機は、テレビジョン受像機の裏面側に固定して取り付けられていたために、ＤＶＤ挿入口を移動することができずに不便であるという問題があった。
【０００３】
第１の従来技術を図３（ａ）（ｂ）に示す。この従来のＡＶ装置は、図３（ａ）（ｂ）に示すように、再生装置筐体１１１の左側面から突出する左取出位置１１２Ｌと、再生装置筐体１１１の右側面から突出する右取出位置１１２Ｒと、内部に格納される再生位置１１２Ｃとの３つの位置に移動可能に設けられ、光ディスク１０５を正面パネル１１０と平行に保持するディスク保持部１１３が形成されたトレイ１１２と、増幅装置が右側に置かれたことを検出したときにはトレイ１１２を左取出位置１１２Ｌと再生位置１１２Ｃとに移動させ、増幅装置が左側に置かれたことを検出したときにはトレイ１１２を右取出位置１１２Ｒと再生位置１１２Ｃとに移動させている。（例えば、特許文献１参照）。
【０００４】
ところが、これにおいては、左右両方から取り出せることができるようにするには、構造が複雑になり、更に、電気的制御が必要であるという問題があった。
【０００５】
第２の従来技術を図４（ａ）（ｂ）（ｃ）に示す。この従来のディスク装置一体型テレビジョン受像機は、図４（ａ）（ｂ）（ｃ）に示すように、キャビネット２０１内にテレビジョン受像機とディスク装置とが配置されたディスク装置一体型テレビジョン受像機において、テレビジョン受像機が薄型テレビジョン受像機からなり、ディスク装置がスロットイン式ＤＶＤレコーダ２０５であって薄型テレビジョン受像機の後側に配置され、スロットイン式ＤＶＤレコーダ２０５に対向してキャビネット２０１の天板部２１０にディスク挿通口２０６が形成され、ディスク挿通口２０６を開閉する開閉蓋２１３が設けられている。（例えば、特許文献２参照）。
【０００６】
ところが、これは、ディスクＤを上側から挿入したり取り出したりするものであって、左右両側から取り出せるようにしたものではなかった。
【特許文献１】実用新案登録第３０９５４４４号公報
【特許文献２】実用新案登録第３１１１７９７号公報
【発明の開示】
【発明が解決しようとする課題】
【０００７】
本発明は、上記従来の問題に鑑みてなされたものであって、ディスク挿入口を左向き、右向きあるいは上部向きにすることができて、ディスクを左側、右側あるいは上側から挿入したり取り出したりすることができ、使用者の利き手に応じてディスクを挿入したり取り出したりすることができ、しかも、電気的制御を必要とせずに構造を簡単化することができ、更に、使用者がディスク挿入口を気にする必要がなくテレビジョン受像機を配置することができるＤＶＤ内蔵型テレビジョン受像機を提供することを目的としている。
【課題を解決するための手段】
【０００８】
本発明は、上記課題を解決するために提案されたものであって、請求項１に記載の発明は、テレビジョン受像機の裏面側にＤＶＤローダーを配置したＤＶＤ内蔵型テレビジョン受像機において、前記テレビジョン受像機は薄型テレビジョン受像機からなり、前記ＤＶＤローダーには回転軸が設けられ、前記回転軸は回転支持体に回転自由に支持され、前記回転支持体は前記薄型テレビジョン受像機の裏面に設けられた上下一対のレールに対して移動自由に配置されており、前記回転軸にはその外周部に突起部が設けられ、前記突起部が前記回転支持体の内周に形成された溝部に嵌め入れられて前記回転軸が前記回転支持体に対して回転自由に支持され、前記回転支持体の端部に突出形成された断面略逆Ｔ字形の突出部が前記上下一対のレールに形成された断面略逆Ｔ字形のガイド溝に嵌め込まれて前記ＤＶＤローダーが前記回転軸と前記回転支持体を介して前記上下一対のレールに対して左右に移動可能とされていると共に前記ＤＶＤローダーが前記回転軸を介して回転自由に配置されて、前記ＤＶＤローダーのディスク挿入口が左向き、右向き或いは上部向きに位置することを可能にしたことを特徴としている。
【０００９】
請求項２に記載の発明は、テレビジョン受像機の裏面側にＤＶＤローダーを配置したＤＶＤ内蔵型テレビジョン受像機において、前記ＤＶＤローダーは、移動手段により前記テレビジョン受像機の裏面側で左右に移動可能とされると共に回転手段により回転自由に配置されて、前記ＤＶＤローダーのディスク挿入口が左向き、右向きあるいは上部向きに位置することを可能にしたことを特徴としている。
【００１０】
請求項３に記載の発明は、請求項２に記載の発明において、前記移動手段は、前記ＤＶＤローダーに設けられた回転軸を回転自由に支持する回転支持体の端部に突出形成された断面略逆Ｔ字形の突出部と、この突出部が嵌め入れられ、前記テレビジョン受像機の裏面側に設けられた上下一対のレールに形成された断面略逆Ｔ字形のガイド溝とから構成されている。
【００１１】
請求項４に記載の発明は、請求項２に記載の発明において、前記回転手段は、前記ＤＶＤローダーに設けられて外周に突起部を有する回転軸と、前記テレビジョン受像機の裏面側に配置された上下一対のレールに対して移動可能に設けられ、内周に前記突起部が嵌め入れられた溝部を有する回転支持体とから構成されている。
【発明の効果】
【００１２】
請求項１に記載の発明によれば、ＤＶＤローダーの回転軸の外周部の突起部が回転支持体の内周の溝部に嵌め入れられているから、ＤＶＤローダーを回転してそのディスク挿入口を左向き、右向きあるいは上部向きにすることができる。従って、ディスクを左側、右側あるいは上側からディスク挿入口に挿入したり取り出したりすることができ、使用者の利き手に応じてディスクを挿入したり取り出したりすることができる。しかも、電気的制御を必要とせずに構造を簡単化することができる。更に、使用者がディスク挿入口を気にする必要がなく薄型テレビジョン受像機を配置することができる。また、ＤＶＤローダーの回転軸を回転可能に支持する回転支持体の端部に突出形成された断面略逆Ｔ字形の突出部が、上下一対のレールの断面略逆Ｔ字形のガイド溝に嵌め込まれているから、ＤＶＤローダーを左右に移動することができ、使用者が取り扱いし易い位置でディスクをＤＶＤローダーのディスク挿入口に挿入したり取り出したりすることができると共にＤＶＤローダーと回転支持体がレールから外れることを防ぐことができる。
【００１３】
請求項２に記載の発明によれば、回転手段によりＤＶＤローダーをテレビジョン受像機の裏面側で回転させて、ＤＶＤローダーのディスク挿入口を左向き、右向き或いは上部向きにすることができるから、ディスクを左側、右側あるいは上側からディスク挿入口に挿入したり取り出したりすることができ、使用者の利き手に応じてディスクを挿入したり取り出したりすることができる。しかも、電気的制御を必要とせずに構造を簡単化することができる。更に、使用者がディスク挿入口を気にする必要がなくテレビジョン受像機を配置することができる。また、移動手段によってＤＶＤローダーをテレビジョン受像機の裏面側で移動できるようにしたから、ＤＶＤローダーを左右に移動することができ、使用者が取り扱いし易い位置でディスクをＤＶＤローダーのディスク挿入口に挿入したり取り出したりすることができる
請求項３に記載の発明によれば、移動手段がＤＶＤローダーの回転軸を回転自由に支持する回転支持体の断面略逆Ｔ字形の突出部と、テレビジョン受像機の裏面側に設けられた上下一対のレールに形成されて突出部が嵌め入れられた断面略逆Ｔ字形のガイド溝から構成されているから、構造が簡単であり、回転支持体がレールから外れることを防ぐことができる。また、テレビジョン受像機の裏面側におけるディスクを挿入したり取り出したりすることが行い易い位置にＤＶＤローダーを移動することができる。
【００１４】
請求項４に記載の発明によれば、回転手段が、ＤＶＤローダーの回転軸と、テレビジョン受像機の裏面側の上下一対のレールを移動可能で内周に突起部が嵌め入れられた溝部を有する回転支持体とから構成されているから、構造が簡単であり、ＤＶＤローダーの回転を容易に行なうことができる。従って、ＤＶＤローダーのディスク挿入口を容易に左向き、右向き或いは上部向きにすることができ、使用者の利き手でディスクをこのディスク挿入口に挿入したり取り出したりすることができる。
【発明を実施するための最良の形態】
【００１５】
以下、本発明に係るＤＶＤ内蔵型テレビジョン受像機の実施の形態について、図を参照しつつ説明する。
【００１６】
図１は本発明の実施形態のＤＶＤ内蔵型テレビジョン受像機を示し、（ａ）はその概略裏面図、（ｂ）はその概略側面図、（ｃ）はその要部を断面した概略断面図、（ｄ）はその要部の拡大断面図、図２は本発明のＤＶＤ内蔵型テレビジョンにおけるＤＶＤローダーのディスク挿入口を上部向きにした状態の概略裏面図である。
【００１７】
本実施形態のＤＶＤ内蔵型テレビジョン受像機は、図１（ａ）（ｂ）に示すように、薄型テレビジョン受像機１の裏面側に上下一対のレール２、２が設けられており、ＤＶＤローダー３には回転軸４が設けられ、この回転軸４は回転支持体５に回転自由に支持されている。
【００１８】
図１（ｃ）（ｄ）に示すように、回転軸４の外周に突起部４ａが設けられ、回転支持体５の内周に突起部４ａが嵌め入れられた溝部５ａが設けられ、回転軸４が回転支持体５に対して回転自由に支持され、ＤＶＤローダー３が回転軸４を介して薄型テレビジョン受像機１の裏面側に回転自由に配置されている。また、回転支持体５の端部に突出形成された断面略逆Ｔ字形の突出部５ｂが上下一対のレール２、２に形成された断面略逆Ｔ字形のガイド溝２ａに嵌め込まれてＤＶＤローダー３が回転軸４と回転支持体５を介して上下一対のレール２、２に対して左右に移動可能とされている。
【００１９】
従って、図１（ａ）に実線で示すように、ディスク挿入口３ａが右向きになったＤＶＤローダー３が右側より左側に移動されると共に回転され、鎖線で示すように、ディスク挿入口３ａが左向きになった状態となる。また、図２に示すように、ＤＶＤローダー３が右側より左側途中まで移動されると共に回転され、ディスク挿入口３ａが上部向きになった状態とすることもできる。尚、図１（ａ）、図２において、符号Ｄはディスクを示している。更に尚、ＤＶＤローダー３のディスク挿入口３ａを上部向きにして、ＤＶＤローダー３をレール２、２の左側或いは右側に位置させることもできる。
【００２０】
本実施形態によれば、ＤＶＤローダー３の回転軸４の外周部の突起部４ａが回転支持体５の内周の溝部５ａに嵌め入れられているから、ＤＶＤローダー３を回転してそのディスク挿入口３ａを左向き、右向きあるいは上部向きにすることができる。従って、ディスクＤを左側、右側あるいは上側からディスク挿入口３ａに挿入したり取り出したりすることができ、使用者の利き手に応じてディスクＤを挿入したり取り出したりすることができる。しかも、電気的制御を必要とせずに構造を簡単化することができる。更に、使用者がディスク挿入口３ａを気にする必要がなく薄型テレビジョン受像機１を配置することができる。
【００２１】
また、ＤＶＤローダー３の回転軸４を回転可能に支持する回転支持体５の端部に突出形成された断面略逆Ｔ字形の突出部５ａが、上下一対のレール２、２の断面略逆Ｔ字形のガイド溝２ａに嵌め込まれているから、ＤＶＤローダー３を左右に移動することができ、使用者が取り扱いし易い位置でディスクＤをＤＶＤローダー３のディスク挿入口３ａに挿入したり取り出したりすることができると共にＤＶＤローダー３と回転支持体５がレール２、２から外れることを防ぐことができる。
【００２２】
尚、本実施形態においては、薄型テレビジョン受像機１について説明したが、これに限らず、奥行きのあるテレビジョン受像機にも適用することができることは勿論である。
【図面の簡単な説明】
【００２３】
【図１】本発明の実施形態のＤＶＤ内蔵型テレビジョン受像機を示し、（ａ）はその概略裏面図、（ｂ）はその概略側面図、（ｃ）はその要部を断面した概略断面図、（ｄ）はその要部の拡大断面図である。
【図２】本発明のＤＶＤ内蔵型テレビジョンにおけるＤＶＤローダーのディスク挿入口を上部向きにした状態の概略裏面図である。
【図３】従来のＡＶ装置を示し、（ａ）はそのディスク再生装置の正面図、（ｂ）はそのディスク再生装置の平面図である。
【図４】従来のディスク装置一体型テレビジョン受像機におけるディスク再生装置を示し、（ａ）はそのディスクを挿入した状態の断面図、（ｂ）はそのディスクを取り出す途中の状態の断面図、（ｃ）はそのディスクを取り出した状態の断面図である。
【符号の説明】
【００２４】
Ｄ        ディスク
１        薄型テレビジョン受像機
２        レール
２ａ      ガイド溝
３        ＤＶＤローダー
３ａ      ディスク挿入口
４        回転軸
４ａ      突起部
５        回転支持体
５ａ      溝部
５ｂ      突出部
【図１】
2008211424.tif 000003
【図２】
2008211424.tif 000004
【図３】
2008211424.tif 000005
【図４】
2008211424.tif 000006